(57)【要約】【課題】光ディスクを劣化させることなく、スチル動作を行うことができる光ディスク装置を提供する。【解決手段】光ディスク１上に光ディスク１の一周回につき一トラック増加するように形成されたトラックのうちの任意番目のトラックをピックアップ３によって繰り返しトレースするスチル動作が可能な光ディスク装置である。光ディスク１の周回数をカウントする周回数カウンタ４と、スチル動作開始後の光ディスク１の累積周回数を周回数カウンタ４から取得し、累積周回数が所定周回数ｎ（ｎ＞１）になったときにピックアップ３を光ディスク１の読取開始方向にｎトラック分戻すトラックジャンプをさせる制御を行う制御部６とを有している。【選択図】      図３
2004355763.tif 000002
【特許請求の範囲】
【請求項１】
光ディスク上に該光ディスクの一周回につき一トラック増加するように形成されたトラックのうちの任意番目のトラックをピックアップによって繰り返しトレースするスチル動作が可能な光ディスク装置において、
光ディスクの周回数をカウントする周回数カウンタと、
スチル動作開始後の光ディスクの累積周回数を前記周回数カウンタから取得し、該累積周回数が所定周回数ｎ（ｎ＞１）になったときに前記ピックアップを光ディスクの読取開始方向にｎトラック分戻すトラックジャンプをさせる制御を行う制御部とを有することを特徴とする光ディスク装置。
【請求項２】
前記所定周回数ｎを記憶するメモリをさらに有する請求項１に記載の光ディスク装置。
【請求項３】
前記制御部は、
前記周回数カウンタによるカウント値が前記メモリに記憶された前記所定周回数ｎに達したか否かを判定する累積周回数判定部と、
前記累積周回数判定部が前記周回数カウンタによるカウント値が前記メモリに記憶された前記所定周回数ｎに達したと判定したときに、前記ピックアップを光ディスクの読取開始方向にｎトラック分戻すトラックジャンプをさせるトラックジャンプ部と、
前記トラックジャンプ部が前記ピックアップをトラックジャンプさせたときに前記周回数カウンタのカウント値をリセットさせるカウンタリセット部とを備えている請求項２に記載の光ディスク装置。
【請求項４】
光ディスク上に該光ディスクの一周回につき一トラック増加するように形成されたトラックのうちの任意番目のトラックをピックアップによって繰り返しトレースするスチル動作が可能な光ディスク装置において、
光ディスクの周回数をカウントする周回数カウンタと、
スチル動作開始後の光ディスクの累積周回数を前記周回数カウンタから取得し、該累積周回数が所定周回数ｎ（ｎ＞１）になったときに前記ピックアップを光ディスクの読取開始方向に（ｎ＋α）トラック分（α≧１）戻すトラックジャンプをさせる制御を行う制御部とを有することを特徴とする光ディスク装置。
【請求項５】
前記所定周回数ｎを記憶する第１のメモリと、前記付加的トラック数αを記憶する第２のメモリとをさらに有する請求項４に記載の光ディスク装置。
【請求項６】
前記制御部は、
前記周回数カウンタによるカウント値が前記第１のメモリに記憶された前記所定周回数ｎに達したか否かを判定する累積周回数判定部と、
前記累積周回数判定部が前記周回数カウンタによるカウント値が前記第１のメモリに記憶された前記所定周回数ｎに達したと判定したときに、前記第２のメモリを参照して前記ピックアップを光ディスクの読取開始方向に（ｎ＋α）トラック分戻すトラックジャンプをさせるトラックジャンプ部と、
前記トラックジャンプ部が前記ピックアップをトラックジャンプさせたときに前記周回数カウンタのカウント値をリセットさせるカウンタリセット部とを備えている請求項５に記載の光ディスク装置。
【請求項７】
スチル開始時に起点のアドレスを一時的に記憶する第３のメモリをさらに有し、
前記制御部は、前記カウンタリセット部が前記周回数カウンタのカウント値をリセットさせたときに前記第３のメモリに記憶された前記起点のアドレスとトラックジャンプ後のアドレスとを照合し、条件を満たしたときに前記周回数カウンタによるカウントを開始させるアドレス照合部をさらに備えている請求項６に記載の光ディスク装置。
【請求項８】
光ディスク上に該光ディスクの一周回につき一トラック増加するように形成されたトラックのうちの任意番目のトラックをピックアップによって繰り返しトレースするスチル動作が可能な光ディスク装置において、
スチル時のトレース時間を計測するタイマと、
スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ）（（ｒ×ｔ）＞１）トラック分戻すトラックジャンプをさせる制御を行う制御部とを有することを特徴とする光ディスク装置。
【請求項９】
前記所定時間ｔを記憶するメモリと、前記回転数ｒを検出するタコメータとをさらに有する請求項８に記載の光ディスク装置。
【請求項１０】
前記制御部は、
前記タイマによる経過トレース時間が前記メモリに記憶された前記所定時間ｔに達したか否かを判定する経過時間判定部と、
前記経過時間判定部が前記タイマによる前記経過トレース時間が前記メモリに記憶された所定時間ｔに達したと判定したときに、前記タコメータによる前記回転数ｒを参照すると共に、前記ピックアップを光ディスクの読取開始方向に（ｒ×ｔ）トラック分戻すトラックジャンプをさせるトラックジャンプ部と、
前記トラックジャンプ部が前記ピックアップをトラックジャンプさせたときに前記タイマの計時値をリセットさせるタイマリセット部とを備えている請求項９に記載の光ディスク装置。
【請求項１１】
光ディスク上に該光ディスクの一周回につき一トラック増加するように形成されたトラックのうちの任意番目のトラックをピックアップによって繰り返しトレースするスチル動作が可能な光ディスク装置において、
スチル時のトレース時間を計測するタイマと、
スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ＋α）（（ｒ×ｔ）＞１、α≧１）トラック分戻すトラックジャンプをさせる制御を行う制御部とを有することを特徴とする光ディスク装置。
【請求項１２】
前記所定時間ｔを記憶する第１のメモリと、前記付加的トラック数αを記憶する第２のメモリと、前記回転数ｒを検出するタコメータとをさらに有する請求項１１に記載の光ディスク装置。
【請求項１３】
前記制御部は、
前記タイマによる経過トレース時間が前記メモリに記憶された前記所定時間ｔに達したか否かを判定する経過時間判定部と、
前記経過時間判定部が前記タイマによる前記経過トレース時間が前記第１のメモリに記憶された所定時間ｔに達したと判定したときに、前記タコメータによる前記回転数ｒを参照し、さらに前記第２のメモリを参照すると共に、前記ピックアップを光ディスクの読取開始方向に（ｒ×ｔ＋α）トラック分戻すトラックジャンプをさせるトラックジャンプ部と、
前記トラックジャンプ部が前記ピックアップをトラックジャンプさせたときに前記タイマの計時値をリセットさせるタイマリセット部とを備えている請求項１２に記載の光ディスク装置。
【請求項１４】
スチル開始時に起点のアドレスを一時的に記憶する第３のメモリをさらに有し、
前記制御部は、前記タイマリセット部が前記タイマの計時値をリセットさせたときに、前記第３のメモリに記憶された前記起点のアドレスとトラックジャンプ後のアドレスとを照合し、条件を満たしたときに前記タイマによる計時を開始させるアドレス照合部をさらに備えている請求項１３に記載の光ディスク装置。
【請求項１５】
光ディスク上に該光ディスクの一周回につき一トラック増加するように形成されたトラックのうちの任意番目のトラックをピックアップによって繰り返しトレースするスチル動作が可能な光ディスク装置において、
スチル動作開始後のトレース進度を取得し、該トレース進度が所定値（所定値＞１トラック相当値）になったときに前記ピックアップを光ディスクの読取開始方向に該所定値分戻すトラックジャンプをさせる制御を行う制御部を有することを特徴とする光ディスク装置。
【請求項１６】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、
光ディスクの周回数をカウントする周回数カウンタを利用し、
スチル動作開始後の光ディスクの累積周回数を前記周回数カウンタから取得し、該累積周回数が所定周回数ｎ（ｎ＞１）になったときに前記ピックアップを光ディスクの読取開始方向にｎトラック分戻すトラックジャンプをさせる制御を行うことを特徴とする光ディスク装置のスチル動作方法。
【請求項１７】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、
光ディスクの周回数をカウントする周回数カウンタを利用し、
スチル動作開始後の光ディスクの累積周回数を前記周回数カウンタから取得し、該累積周回数が所定周回数ｎ（ｎ＞１）になったときに前記ピックアップを光ディスクの読取開始方向に（ｎ＋α）トラック分（α≧１）戻すトラックジャンプをさせる制御を行うことを特徴とする光ディスク装置のスチル動作方法。
【請求項１８】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、
スチル時のトレース時間を計測するタイマを利用し、
スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ）（（ｒ×ｔ）＞１）トラック分戻すトラックジャンプをさせる制御を行うことを特徴とする光ディスク装置のスチル動作方法。
【請求項１９】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、
スチル時のトレース時間を計測するタイマを利用し、
スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ＋α）（（ｒ×ｔ）＞１、α≧１）トラック分戻すトラックジャンプをさせる制御を行うことを特徴とする光ディスク装置のスチル動作方法。
【請求項２０】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、
スチル動作開始後のトレース進度を取得し、該トレース進度が所定値（所定値＞１トラック相当値）になったときに前記ピックアップを光ディスクの読取開始方向に該所定値分戻すトラックジャンプをさせる制御を行うことを特徴とする光ディスク装置のスチル動作方法。
【請求項２１】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、
光ディスクの周回数をカウントする周回数カウンタを利用し、
スチル動作開始後の光ディスクの累積周回数を前記周回数カウンタから取得し、該累積周回数が所定周回数ｎ（ｎ＞１）になったときに前記ピックアップを光ディスクの読取開始方向にｎトラック分戻すトラックジャンプをさせる制御を行うことを特徴とする光ディスク装置のスチル動作プログラム。
【請求項２２】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、
光ディスクの周回数をカウントする周回数カウンタを利用し、
スチル動作開始後の光ディスクの累積周回数を前記周回数カウンタから取得し、該累積周回数が所定周回数ｎ（ｎ＞１）になったときに前記ピックアップを光ディスクの読取開始方向に（ｎ＋α）トラック分（α≧１）戻すトラックジャンプをさせる制御を行うことを特徴とする光ディスク装置のスチル動作プログラム。
【請求項２３】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、
スチル時のトレース時間を計測するタイマを利用し、
スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ）（（ｒ×ｔ）＞１）トラック分戻すトラックジャンプをさせる制御を行うことを特徴とする光ディスク装置のスチル動作プログラム。
【請求項２４】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、
スチル時のトレース時間を計測するタイマを利用し、
スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ＋α）（（ｒ×ｔ）＞１、α≧１）トラック分戻すトラックジャンプをさせる制御を行うことを特徴とする光ディスク装置のスチル動作プログラム。
【請求項２５】
光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、
スチル動作開始後のトレース進度を取得し、該トレース進度が所定値（所定値＞１トラック相当値）になったときに前記ピックアップを光ディスクの読取開始方向に該所定値分戻すトラックジャンプをさせる制御を行うことを特徴とする光ディスク装置のスチル動作プログラム。
【発明の詳細な説明】
【０００１】
【発明の属する技術分野】
本発明は、光ディスク装置に関し、特に、スチル動作を行うことができる光ディスク装置に関する。
【０００２】
【従来の技術】
光ディスク装置は、ＬＤ（Ｌａｓｅｒ  Ｄｉｓｃ）、ＣＤ（Ｃｏｍｐａｃｔ  Ｄｉｓｃ）、ＣＤ−ＲＯＭ（ＣＤ−Ｒｅａｄ  Ｏｎｌｙ  Ｍｅｍｏｒｙ）、ＣＤ−Ｒ（ＣＤ−Ｒｅｃｏｒｄａｂｌｅ）、ＣＤ−ＲＷ（ＣＤ−ＲｅＷｒｉｔａｂｌｅ）、ＤＶＤ−ＲＯＭ（Ｄｉｇｉｔａｌ  Ｖｅｒｓａｔｉｌｅ  （Ｖｉｄｅｏ）  Ｄｉｓｃ−ＲＯＭ）、ＤＶＤ−Ｒ、ＤＶＤ−ＲＷ、ＤＶＤ−ＲＡＭ（ＤＶＤ−Ｒａｎｄｏｍ  Ａｃｃｅｓｓ  Ｍｅｍｏｒｙ）、ＤＶＤ＋Ｒ、ＤＶＤ＋ＲＷ、ＭＯ（Ｍａｇｎｅｔ−Ｏｐｔｉｃａｌ  ｄｉｓｃ）、ＭＤ（Ｍｉｎｉ  Ｄｉｓｃ）等の光ディスクまたは光磁気ディスク（以後、単に、光ディスクと呼ぶ）に対して、情報またはデータを再生（読み取り）および／または記録（書き込み）する装置である。
【０００３】
光ディスク装置は、一般に、データ読み取り時にピックアップによる集束されたレーザ光を光ディスクに照射し、フォーカスサーボおよびトラックサーボを利用して、光ディスク上にスパイラルに形成されたトラックを順次トレースして行く。
【０００４】
一時停止時やデータ読み取り後の待機時には、ピックアップの一連の動作を停止するのではなく、光ディスクの１回転毎に１トラック分再生開始方向にトラックジャンプし、任意の１周分のトラックを繰り返してトレースする。このような動作は、スチル動作と呼ばれる。
【０００５】
図１は、従来の光ディスク装置のスチル動作時の光ディスクの周回数と読み込み済みトラックとの関係を示している。図１の場合は、データを１０トラック読み取った後、同一のトラックを繰り返してトレース（スチル）しながら一定時間待機し、その後、続きのトラックから１０トラック読み取り、同一のトラックを再び繰り返してトレース（スチル）しながら一定時間待機するという動作を繰り返している例である。つまり、光ディスク装置のスチル動作時、光ディスクの所定のトラックは、レーザ光を長時間浴びる。
【０００６】
近年、光ディスクの高記録密度化に伴う光ディスク装置におけるレーザ光源の短波長化に伴い、光ディスクの透明基板内での光の吸収が大きくなっている。これは、図２に示すように、短波長のレーザ光は、光ディスクの透明基板の材料、例えばポリカーボネートに対する透過率が低いからである。
【０００７】
よって、スチル動作によってレーザ光が同じトラックを繰り返し照射することにより、この部分の透明基板が光化学反応を起こし、光ディスク自体が劣化したり、光ディスクから再生されるデータが劣化するといった問題がある。
【０００８】
このような問題を解決すべく、例えば、特開２００１−３４９４４には、スチル動作時にレーザーパワーを低下させて透明基板へのダメージを低減させる方法が、開示されている。
【０００９】
また、スチル時はデータをバッファメモリに蓄積し、光ディスク装置側では動作を止めることも、考えられる。
【００１０】
さらに、例えば、特開平７−２６２６９７号公報には、予め光ディスクにデータ領域と退避領域とを設けておき、スチル動作時に退避領域をシークし、データ領域へのダメージを低減させる方法が、開示されている。
【００１１】
【特許文献１】
特開２００１−３４９４４号公報
【００１２】
【特許文献２】
特開平７−２６２６９７号公報
【００１３】
【発明が解決しようとする課題】
ところが、レーザーパワーを低下させる方法は、スチル動作中のレーザーパワーは通常再生動作に必要最小限のレーザーパワーに設定されていることが多く、レーザーパワーを下げる余地がないと考えられる。
【００１４】
また、スチル時にデータをバッファメモリに蓄積し、ドライブ装置側ではスチル動作を止める方法は、スチル動作解除後、再度フォーカスサーボやトラックサーボを掛け直し、ディスクのアドレスを検出して読み出し位置を修正してから読み取りを開始するため、読み取り再開に時間を要するという問題がある。
【００１５】
さらに、スチル動作時に予め光ディスクに設けた退避領域をシークする方法では、光ディスクの記憶容量が退避領域分だけ低下してしまう問題や、スチル後にデータ領域に復帰させるまでのシークタイムに時間を要するという問題がある。
【００１６】
それ故、本発明の課題は、光ディスクを劣化させることなく、スチル動作を行うことができる光ディスク装置を提供することである。
【００１７】
【課題を解決するための手段】
本発明によれば、光ディスク上に該光ディスクの一周回につき一トラック増加するように形成されたトラックのうちの任意番目のトラックをピックアップによって繰り返しトレースするスチル動作が可能な光ディスク装置において、光ディスクの周回数をカウントする周回数カウンタと、スチル動作開始後の光ディスクの累積周回数を前記周回数カウンタから取得し、該累積周回数が所定周回数ｎ（ｎ＞１）になったときに前記ピックアップを光ディスクの読取開始方向にｎトラック分戻すトラックジャンプをさせる制御を行う制御部とを有することを特徴とする光ディスク装置が得られる。
【００１８】
本発明によればまた、前記所定周回数ｎを記憶するメモリをさらに有する前記光ディスク装置が得られる。
【００１９】
本発明によればさらに、前記制御部は、前記周回数カウンタによるカウント値が前記メモリに記憶された前記所定周回数ｎに達したか否かを判定する累積周回数判定部と、前記累積周回数判定部が前記周回数カウンタによるカウント値が前記メモリに記憶された前記所定周回数ｎに達したと判定したときに、前記ピックアップを光ディスクの読取開始方向にｎトラック分戻すトラックジャンプをさせるトラックジャンプ部と、前記トラックジャンプ部が前記ピックアップをトラックジャンプさせたときに前記周回数カウンタのカウント値をリセットさせるカウンタリセット部とを備えている前記光ディスク装置が得られる。
【００２０】
また、本発明によれば、光ディスク上に該光ディスクの一周回につき一トラック増加するように形成されたトラックのうちの任意番目のトラックをピックアップによって繰り返しトレースするスチル動作が可能な光ディスク装置において、光ディスクの周回数をカウントする周回数カウンタと、スチル動作開始後の光ディスクの累積周回数を前記周回数カウンタから取得し、該累積周回数が所定周回数ｎ（ｎ＞１）になったときに前記ピックアップを光ディスクの読取開始方向に（ｎ＋α）トラック分（α≧１）戻すトラックジャンプをさせる制御を行う制御部とを有することを特徴とする光ディスク装置が得られる。
【００２１】
また、本発明によれば、前記所定周回数ｎを記憶する第１のメモリと、前記付加的トラック数αを記憶する第２のメモリとをさらに有する前記光ディスク装置が得られる。
【００２２】
また、本発明によれば、前記制御部は、前記周回数カウンタによるカウント値が前記第１のメモリに記憶された前記所定周回数ｎに達したか否かを判定する累積周回数判定部と、前記累積周回数判定部が前記周回数カウンタによるカウント値が前記第１のメモリに記憶された前記所定周回数ｎに達したと判定したときに、前記第２のメモリを参照して前記ピックアップを光ディスクの読取開始方向に（ｎ＋α）トラック分戻すトラックジャンプをさせるトラックジャンプ部と、前記トラックジャンプ部が前記ピックアップをトラックジャンプさせたときに前記周回数カウンタのカウント値をリセットさせるカウンタリセット部とを備えている前記光ディスク装置が得られる。
【００２３】
また、本発明によれば、スチル開始時に起点のアドレスを一時的に記憶する第３のメモリをさらに有し、前記制御部は、前記カウンタリセット部が前記周回数カウンタのカウント値をリセットさせたときに前記第３のメモリに記憶された前記起点のアドレスとトラックジャンプ後のアドレスとを照合し、条件を満たしたときに前記周回数カウンタによるカウントを開始させるアドレス照合部をさらに備えている前記光ディスク装置が得られる。
【００２４】
また、本発明によれば、光ディスク上に該光ディスクの一周回につき一トラック増加するように形成されたトラックのうちの任意番目のトラックをピックアップによって繰り返しトレースするスチル動作が可能な光ディスク装置において、スチル時のトレース時間を計測するタイマと、スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ）（（ｒ×ｔ）＞１）トラック分戻すトラックジャンプをさせる制御を行う制御部とを有することを特徴とする光ディスク装置が得られる。
【００２５】
また、本発明によれば、光ディスク上に該光ディスクの一周回につき一トラック増加するように形成されたトラックのうちの任意番目のトラックをピックアップによって繰り返しトレースするスチル動作が可能な光ディスク装置において、スチル動作開始後のトレース進度を取得し、該トレース進度が所定値（所定値＞１トラック相当値）になったときに前記ピックアップを光ディスクの読取開始方向に該所定値分戻すトラックジャンプをさせる制御を行う制御部を有することを特徴とする光ディスク装置が得られる。
【００２６】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、光ディスクの周回数をカウントする周回数カウンタを利用し、スチル動作開始後の光ディスクの累積周回数を前記周回数カウンタから取得し、該累積周回数が所定周回数ｎ（ｎ＞１）になったときに前記ピックアップを光ディスクの読取開始方向にｎトラック分戻すトラックジャンプをさせる制御を行うことを特徴とする光ディスク装置のスチル動作方法が得られる。
【００２７】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、光ディスクの周回数をカウントする周回数カウンタを利用し、スチル動作開始後の光ディスクの累積周回数を前記周回数カウンタから取得し、該累積周回数が所定周回数ｎ（ｎ＞１）になったときに前記ピックアップを光ディスクの読取開始方向に（ｎ＋α）トラック分（α≧１）戻すトラックジャンプをさせる制御を行うことを特徴とする光ディスク装置のスチル動作方法が得られる。
【００２８】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、スチル時のトレース時間を計測するタイマを利用し、スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ）（（ｒ×ｔ）＞１）トラック分戻すトラックジャンプをさせる制御を行うことを特徴とする光ディスク装置のスチル動作方法が得られる。
【００２９】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、スチル時のトレース時間を計測するタイマを利用し、スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ＋α）（（ｒ×ｔ）＞１、α≧１）トラック分戻すトラックジャンプをさせる制御を行うことを特徴とする光ディスク装置のスチル動作方法が得られる。
【００３０】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作方法において、スチル動作開始後のトレース進度を取得し、該トレース進度が所定値（所定値＞１トラック相当値）になったときに前記ピックアップを光ディスクの読取開始方向に該所定値分戻すトラックジャンプをさせる制御を行うことを特徴とする光ディスク装置のスチル動作方法が得られる。
【００３１】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、光ディスクの周回数をカウントする周回数カウンタを利用し、スチル動作開始後の光ディスクの累積周回数を前記周回数カウンタから取得し、該累積周回数が所定周回数ｎ（ｎ＞１）になったときに前記ピックアップを光ディスクの読取開始方向にｎトラック分戻すトラックジャンプをさせる制御を行うことを特徴とする光ディスク装置のスチル動作プログラムが得られる。
【００３２】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、光ディスクの周回数をカウントする周回数カウンタを利用し、スチル動作開始後の光ディスクの累積周回数を前記周回数カウンタから取得し、該累積周回数が所定周回数ｎ（ｎ＞１）になったときに前記ピックアップを光ディスクの読取開始方向に（ｎ＋α）トラック分（α≧１）戻すトラックジャンプをさせる制御を行うことを特徴とする光ディスク装置のスチル動作プログラムが得られる。
【００３３】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、スチル時のトレース時間を計測するタイマを利用し、スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ）（（ｒ×ｔ）＞１）トラック分戻すトラックジャンプをさせる制御を行うことを特徴とする光ディスク装置のスチル動作プログラムが得られる。
【００３４】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、スチル時のトレース時間を計測するタイマを利用し、スチル動作開始後の経過トレース時間を前記タイマから取得し、該経過トレース時間が所定時間ｔに達したときに光ディスクの単位時間あたりの回転数ｒをも取得すると共に、前記ピックアップを光ディスクの読取開始方向に（ｒ×ｔ＋α）（（ｒ×ｔ）＞１、α≧１）トラック分戻すトラックジャンプをさせる制御を行うことを特徴とする光ディスク装置のスチル動作プログラムが得られる。
【００３５】
また、本発明によれば、光ディスク上に該光ディスクの一周回につき一トラック増加するように形成されたトラックのうちの任意番目のトラックをピックアップによって繰り返しトレースするスチル動作が可能な光ディスク装置に適用される光ディスク装置のスチル動作プログラムにおいて、スチル動作開始後のトレース進度を取得し、該トレース進度が所定値（所定値＞１トラック相当値）になったときに前記ピックアップを光ディスクの読取開始方向に該所定値分戻すトラックジャンプをさせる制御を行うことを特徴とする光ディスク装置のスチル動作プログラムが得られる。
【００３６】
【発明の実施の形態】
以下、図面を参照して、本発明の実施の形態について詳細に説明する。
【００３７】
［実施の形態１］
図３を参照して、本発明の実施の形態１による光ディスク装置は、光ディスク１を回転させるスピンドル２と、回転する光ディスク１からデータを読み出すピックアップ３と、スピンドル２の周回数をカウントする周回数カウンタ４と、後述する周回数の設定値やスチル解除割込コマンド等を記憶するメモリ５と、これらの構成要素を制御する制御部６とを有している。
【００３８】
図４を参照して、メモリ５は、周回数の設定値ｎ（ｎ＞１）を記憶する第１のメモリ５１と、後述するスチル解除割込コマンドを記憶する第２のメモリ５２とを含んでいる。
【００３９】
制御部６は、周回数カウンタ４によるカウント値がメモリ５の第１のメモリ５１に記憶された所定周回数ｎに達したか否かを判定する累積周回数判定部６１と、累積周回数判定部６１が周回数カウンタ４によるカウント値がメモリ５の第１のメモリ５１に記憶された所定周回数ｎに達したと判定したときにピックアップ３を光ディスク１の読取開始方向にｎトラック分戻すトラックジャンプをさせるトラックジャンプ部６２と、トラックジャンプ部６２がピックアップ３をトラックジャンプさせたときに周回数カウンタ４のカウント値をリセットさせるカウンタリセット部６３と、後述するスチル解除割込コマンドに基づいてスチル動作を終了するか否かを判定するスチル終了判定部６５とを備えている。
【００４０】
尚、この制御部６の少なくとも一部は、チップ状等のコンピュータに予め記憶されたプログラムによって構成されてもよい。
【００４１】
以下、本光ディスク装置の動作を説明する。
【００４２】
本光ディスク装置は、通常データの読み取り時、ピックアップ３によるレーザ光を光ディスク１に照射し、フォーカスサーボおよびトラックサーボを利用して、光ディスク１にスパイラルに形成されたトラックを順次トレースする。一時停止時やデータ読み取り後の待機時には、ピックアップの一連の動作を停止はせずに、スチル動作に移行する。
【００４３】
図３〜図５を参照して、本光ディスク装置がスチル動作を開始すると、制御部６の命令により、周回数カウンタ４が周回数カウントを開始する（ステップＳ１１）。この間、ピックアップ３は、トラックジャンプは行わず、スパイラル状のトラックをトレースする。
【００４４】
その後、制御部６の累積周回数判定部６１は、周回数カウンタ４にカウントされた周回数がメモリ５の第１のメモリ５１に予め記憶させておいた回数ｎに達するまで、周回数を監視する（ステップＳ１２）。
【００４５】
尚、予めメモリ５に記憶されている記号ｎは、ｎ＞１を満たす数であり、本実施の形態においては、５とする。
【００４６】
制御部６のトラックジャンプ部６２は、周回数カウンタ４によってカウントされた周回数がｎに達すると、ピックアップ３の駆動手段（図示せず）に対して、ピックアップ３が光ディスク１の原点方向へｎトラック分トラックジャンプするように命令する（ステップＳ１３）。そして、制御部６のカウンタリセット部６３は、周回数カウンタ４における周回数をゼロに戻す（ステップＳ１４）。
【００４７】
スチル動作を解除するには、任意のタイミングでスチル解除割込コマンドを光ディスク装置に与える。制御部６は、受け取ったスチル解除割込コマンドを一旦メモリ５の第２のメモリ５２に記憶しておく。
【００４８】
制御部６のスチル終了判定部６５は、この時点で、スチル解除割込コマンドを受け取ってメモリ５の第２のメモリ５２に記憶していれば、スチル解除割込コマンドを消去した上で、処理を終了して通常読み取り動作を復帰させる一方、スチル解除の割込コマンドを受け取っていなければ最初からフローを繰り返す（ステップＳ１５）。
【００４９】
図６は、本光ディスク装置のスチル動作を示す図である。即ち、ｎ＝５であるときの光ディスクの周回数と読み込み済みトラックとの関係を示している。
【００５０】
図６を参照して、本光ディスク装置は、１０トラック通常に読み取り動作を行い、その後一定時間待機し、その後続きの１０トラックを読み取り、一定時間待機を繰り返している。
【００５１】
ｎ＝５であるため、本光ディスク装置は、周回数が５に達するまではトラックジャンプを行わず、周回数が５に達した後、即ち、１５トラック目までトレースした後に、５トラック分読取開始方向へトラックジャンプ、即ち、１１トラック目の開始位置または起点（即ち、１０トラック目の終点）まで戻る。
【００５２】
図６から明らかなように、従来のごとく周回毎にトラックジャンプしていれば同一のトラックを１０回トレースするところ、本光ディスク装置は、同一のトラックを２回トレースするのみである。
【００５３】
以上の実施の形態１による装置では、トレース進度としてトラック単位の周回数を用いて制御を行っているが、本発明による装置は、トレース進度としてアドレス（ブロック）単位の進度を用いて制御を行ってもよい。
【００５４】
［実施の形態２］
図３を参照して、本発明の実施の形態２による光ディスク装置は、実施の形態１と同様に、光ディスク１を回転させるスピンドル２と、回転する光ディスク１からデータを読み出すピックアップ３と、スピンドル２の周回数をカウントする周回数カウンタ４と、後述する周回数の設定値、スチル解除割込コマンド、起点アドレス、およびトラックジャンプの加算値等を記憶するメモリ５と、これらの構成要素を制御する制御部７とを有している。
【００５５】
図７を参照して、メモリ５は、周回数の設定値ｎ（ｎ＞１）を記憶する第１のメモリ５１と、後述するスチル解除割込コマンドを記憶する第２のメモリ５２と、起点アドレスを記憶する第３のメモリ５３と、後述するトラックジャンプの加算値α（αは１以上の数）を記憶する第４のメモリ５４とを含んでいる。
【００５６】
制御部７は、周回数カウンタ４によるカウント値がメモリ５の第１のメモリ５１に記憶された所定周回数ｎに達したか否かを判定する累積周回数判定部７１と、累積周回数判定部７１が周回数カウンタ４によるカウント値がメモリ５の第１のメモリ５１に記憶された所定周回数ｎに達したと判定したときにメモリ５の第１のメモリ５１および第４のメモリ５４を参照してピックアップ３を光ディスク１の読取開始方向に（ｎ＋α）トラック分戻すトラックジャンプをさせるトラックジャンプ部７２と、トラックジャンプ部７２がピックアップ３をトラックジャンプさせたときに周回数カウンタ４のカウント値をリセットさせるカウンタリセット部７３と、カウンタリセット部７３が周回数カウンタ４のカウント値をリセットさせたときにメモリ５の第３のメモリ５３に記憶された起点のアドレスとトラックジャンプ後のアドレスとを照合し、条件を満たしたときに周回数カウンタによるカウントを開始させるアドレス照合部７４と、後述するスチル解除割込コマンドに基づいてスチル動作を終了するか否かを判定するスチル終了判定部７５とを備えている。
【００５７】
尚、この制御部７の少なくとも一部は、チップ状等のコンピュータに予め記憶されたプログラムによって構成されてもよい。
【００５８】
以下、本光ディスク装置の動作を説明する。
【００５９】
本光ディスク装置は、実施の形態１と同様に、通常データの読み取り時、ピックアップ３によるレーザ光を光ディスク１に照射し、フォーカスサーボおよびトラックサーボを利用して、光ディスク１にスパイラルに形成されたトラックを順次トレースする。一時停止時やデータ読み取り後の待機時には、ピックアップの一連の動作を停止はせずに、スチル動作に移行する。
【００６０】
図３、図７、および図８を参照して、本光ディスク装置がスチル動作を開始すると、制御部７は、スチル開始起点での起点アドレスを読み込み、メモリ５の第３のメモリ５３に記憶する（ステップＳ２１）。
【００６１】
その後、制御部７の命令により、周回数カウンタ４が周回数カウントを開始する（ステップＳ２２）。この間、ピックアップ３は、トラックジャンプは行わず、スパイラル状のトラックをトレースする。
【００６２】
続いて、制御部７の累積周回数判定部７１は、周回数が予めメモリ５の第１のメモリ５１に記憶させておいた回数ｎに達するまで周回数を監視する（ステップＳ２３）。
【００６３】
尚、予めメモリ５の第１のメモリ５１に記憶されている記号ｎは、ｎ＞１を満たす数であり、本実施の形態においては、４とする。
【００６４】
制御部７のトラックジャンプ部７２は、周回数カウンタ４によってカウントされた周回数がｎに達すると、ピックアップ３の駆動手段（図示せず）に対して、原点方向へ（ｎ＋α）トラック分トラックジャンプしてスチル起点よりも前のトラックへ移動するように命令する（ステップＳ２４）。そして、制御部７のカウンタリセット部７３は、周回数カウンタ４における周回数をゼロに戻す（ステップＳ２５）。
【００６５】
尚、メモリ５の第４のメモリ５４に予め記憶されているトラックジャンプの加算値αは、１以上の数であり、本実施の形態においては、１とする。
【００６６】
スチル動作を解除するには、任意のタイミングでスチル解除割込コマンドを光ディスク装置に与える。制御部７は、受け取ったスチル解除割込コマンドを一旦メモリ５の第２のメモリ５２に記憶しておく。
【００６７】
制御部７のスチル終了判定部７５は、この時点までにスチル解除の割込コマンドを受け取ってメモリ５の第２のメモリ５２に記憶してあれば（ステップＳ２６）、スチル解除の割込コマンドを消去した上で、処理を終了して通常読み取り動作を復帰させる。
【００６８】
スチル解除の割込コマンドが発生していなければ、制御部７のアドレス照合部７４は、現在のアドレスがメモリ５の第３のメモリ５３に記憶しておいた起点アドレスと一致するまで監視を行う（ステップＳ２７）。
【００６９】
そして、制御部７のアドレス照合部７４は、現在のアドレスがメモリ５の第３のメモリ５３に記憶しておいた起点アドレスと一致すると、周回数カウント開始のステップ（ステップＳ２２）に戻り、ここからフローを繰り返す。
【００７０】
図９は、本光ディスク装置のスチル動作を示す図である。即ち、ｎ＝４ならびにα＝１であるときの光ディスクの周回数と読み込み済みトラックとの関係を示している。
【００７１】
図９を参照して、本光ディスク装置は、１０トラック通常に読み取り動作を行い、その後一定時間待機し、その後続きの１０トラックを読み取り、一定時間待機を繰り返している。
【００７２】
ｎ＝４ならびにα＝１であるため、本光ディスク装置は、周回数が４に達するまではトラックジャンプを行わず、周回数が４に達した後、即ち、１４トラック目までトレースした後に、（ｎ＋α）＝（４＋１）トラック分、読取開始方向へトラックジャンプ、即ち、１０トラック目の開始位置または起点（即ち、９トラック目の終点）まで戻る。
【００７３】
図９から明らかなように、従来のごとく周回毎にトラックジャンプしていれば同一のトラックを１０回トレースするところ、本光ディスク装置は、同一のトラックを２回トレースするのみである。
【００７４】
また、実施の形態１よりも＋αトラック余分に戻ってアドレス位置確認を行うことにより、たとえ、トラックジャンプが設定トラック分ジャンプしなかった時などの不測の事態が生じても、スチル動作時の位置ずれを回避することができる。
【００７５】
以上の実施の形態２による装置でも、トレース進度としてトラック単位の周回数を用いて制御を行っているが、本発明による装置は、トレース進度としてアドレス（ブロック）単位の進度を用いて制御を行ってもよい。
【００７６】
［実施の形態３］
図１０を参照して、本発明の実施の形態３による光ディスク装置は、光ディスク１を回転させるスピンドル２と、回転する光ディスク１からデータを読み出すピックアップ３と、スチル時のトレース時間を計測するタイマ９と、スピンドルの単位時間あたりの回転数ｒを計測するタコメータ１０と、後述するスチル経過トレース時間の設定値、スチル解除割込コマンド、起点アドレス、およびトラックジャンプの加算値等を記憶するメモリ５と、これらの構成要素を制御する制御部８とを有している。
【００７７】
図１１を参照して、メモリ５は、後述するスチル解除割込コマンドを記憶する第２のメモリ５２と、起点アドレスを記憶する第３のメモリ５３と、後述するトラックジャンプの加算値α（αは１以上の数）を記憶する第４のメモリ５４と、後述するスチル経過トレース時間の設定値ｔを記憶する第５のメモリ５５とを含んでいる。
【００７８】
制御部８は、タイマ９による経過トレース時間がメモリ５の第５のメモリ５５に記憶された所定時間ｔに達したか否かを判定する経過時間判定部８１と、経過時間判定部８１がタイマ９による経過トレース時間がメモリ５に記憶された所定時間ｔに達したと判定したときにメモリ５の第１および第４のメモリ５１および５４ならびにタコメータ１０の回転数ｒを参照して、ピックアップ３を光ディスク１の読取開始方向に（ｒ×ｔ＋α）トラック分戻すトラックジャンプをさせるトラックジャンプ部８２と、トラックジャンプ部８２がピックアップ３をトラックジャンプさせたときにタイマ９の計時値をリセットさせるタイマリセット部８３と、タイマリセット部８３がタイマ９の計時値をリセットさせたときにメモリ５の第３のメモリ５３に記憶された起点のアドレスとトラックジャンプ後のアドレスとを照合し、条件を満たしたときにタイマ９による経過トレース時間測定を開始させるアドレス照合部８４と、後述するスチル解除割込コマンドに基づいてスチル動作を終了するか否かを判定するスチル終了判定部８５とを備えている。
【００７９】
尚、この制御部８の少なくとも一部は、チップ状等のコンピュータに予め記憶されたプログラムによって構成されてもよい。
【００８０】
以下、本光ディスク装置の動作を説明する。
【００８１】
本光ディスク装置は、実施の形態１および２と同様に、通常データの読み取り時、ピックアップ３によるレーザ光を光ディスク１に照射し、フォーカスサーボおよびトラックサーボを利用して、光ディスク１にスパイラルに形成されたトラックを順次トレースする。一時停止時やデータ読み取り後の待機時には、ピックアップの一連の動作を停止はせずに、スチル動作に移行する。
【００８２】
図１０〜図１２を参照して、本光ディスク装置がスチル動作を開始すると、制御部８は、スチル開始起点での起点アドレスを読み込み、メモリ５の第３のメモリ５３に記憶する（ステップＳ３１）。
【００８３】
その後、制御部８の命令により、タイマ９が経過トレース時間の計測を開始する（ステップＳ３２）。この間、ピックアップ３は、トラックジャンプは行わず、スパイラル状のトラックをトレースする。
【００８４】
続いて、制御部８の経過時間判定部８１は、周回数が予めメモリ５の第５のメモリ５５に記憶させておいた時間ｔに達するまで経過トレース時間を監視する（ステップＳ３３）。
【００８５】
尚、予めメモリ５の第５のメモリ５５に記憶されている記号ｔは、スピンドル２（光ディスク１）の１回転超に要する時間であり、本実施の形態においては、１秒とする。
【００８６】
制御部８のトラックジャンプ部８２は、タイマ８によって計測された時間がｔ（１秒）に達すると、タコメータ１０の回転数ｒ（実施の形態３においては、４ｒｐｓとする）を参照して（ステップＳ３４ａ）、ピックアップ３の駆動手段（図示せず）に対して、原点方向へ（ｒ×ｔ＋α）トラック分トラックジャンプしてスチル起点よりも前のトラックへ移動するように命令する（ステップＳ３４ｂ）。そして、制御部８のタイマリセット部８３は、タイマ９における経過トレース時間をゼロに戻す（ステップＳ３５）。
【００８７】
尚、メモリ５の第４のメモリ５４に予め記憶されているトラックジャンプの加算値αは、１以上の数であり、本実施の形態においては、１とする。
【００８８】
スチル動作を解除するには、任意のタイミングでスチル解除割込コマンドを光ディスク装置に与える。制御部８は、受け取ったスチル解除割込コマンドを一旦メモリ５の第２のメモリ５２に記憶しておく。
【００８９】
制御部８のスチル終了判定部８５は、この時点までにスチル解除の割込コマンドを受け取ってメモリ５の第２のメモリ５２に記憶してあれば（ステップＳ３６）、スチル解除の割込コマンドを消去した上で、処理を終了して通常読み取り動作を復帰させる。
【００９０】
スチル解除の割込コマンドが発生していなければ、制御部８のアドレス照合部８４は、現在のアドレスがメモリ５の第３のメモリ５３に記憶しておいた起点アドレスと一致するまで監視を行う（ステップＳ３７）。
【００９１】
そして、制御部８のアドレス照合部８４は、現在のアドレスがメモリ５の第３のメモリ５３に記憶しておいた起点アドレスと一致すると、経過時間計測開始のステップ（ステップＳ３２）に戻り、ここからフローを繰り返す。
【００９２】
本光ディスク装置のスチル動作は、実施の形態２と同様に、図９に示される。即ち、図９は、ｔ＝１、ｒ＝４、ならびにα＝１であるときの光ディスクの周回数（経過トレース時間に対応する）と読み込み済みトラックとの関係を示している。
【００９３】
図９を参照して、本光ディスク装置は、１０トラック通常に読み取り動作を行い、その後一定時間待機し、その後続きの１０トラックを読み取り、一定時間待機を繰り返している。
【００９４】
ｔ＝１、ｒ＝４、ならびにα＝１であるため、本光ディスク装置は、経過トレース時間が１秒に達するまではトラックジャンプを行わず、経過トレース時間が１に達した後、即ち、１４トラック目までトレースした後に、（ｒ×ｔ＋α）＝（４×１＋１）トラック分、読取開始方向へトラックジャンプ、即ち、１０トラック目の開始位置または起点（即ち、９トラック目の終点）まで戻る。
【００９５】
図９から明らかなように、従来のごとく周回毎にトラックジャンプしていれば同一のトラックを１０回トレースするところ、本光ディスク装置は、同一のトラックを２回トレースするのみである。
【００９６】
また、実施の形態１よりも＋αトラック余分に戻ってアドレス位置確認を行うことにより、たとえ、トラックジャンプが設定トラック分ジャンプしなかった時など不測の事態が生じても、スチル動作時の位置ずれを回避することができる。
【００９７】
以上の実施の形態３による装置では、トレース進度として経過トレース時間と単位時間あたりの回転数とに基づく周回数を用いて制御を行っている。ただし、説明を容易にするために実施の形態３では回転数を一定としている。しかし、実際上、光ディスクおよび光ディスク装置の形式が線速度一定の場合もあり得る。このような場合には、スチル動作中の平均回転数を計測するなどして対応可能である。
【００９８】
また、実施の形態３のように経過時間ｔを計測値にすることにより、線速度一定で回転する光ディスク装置の場合、スチル時にトレースするトレース長さを一定にすることができ、スチル動作による本発明のディスク基板劣化低減効果を光ディスクの内外周で一定にすることができる。
【００９９】
最後に、本明細書の記載において用いられる光ディスクのトラックについて、その概念を説明する。
【０１００】
図１３（ａ）は、光ディスク媒体のトラック構造を模式化したものである。図１３（ｂ）は、図１３（ａ）の拡大図であり、トラック番号を付したものである。光ディスクのトラック構造は、螺旋状（スパイラル）の１本の線で示すことができる。１周分を１トラックと呼び、トラックとトラックとの間隔をトラックピッチと呼ぶ。図１３（ａ）および（ｂ）から明らかなように、光ディスクは、１周回する度に１トラック増加する構造を有している。また、データは、一般的に、開始位置（内周）から外周に向かって記録されている。図１３（ｂ）の開始位置と書かれた部分、即ち、第０トラックの０°線上の位置から１周回して第１トラックの０°線の直前までの１周分が、実際の第１トラックとなる。図１３（ａ）および（ｂ）では光ディスクが時計回りに回転することを想定しているため、０°線の上の部分が各トラックの起点となり、０°線の下の部分が各トラックの終点となる。光ディスク装置は、光ディスクを回転させながらピックアップをトラックに沿って追従させ、トラックに記録されているデータの読み出しを行う。
【０１０１】
本明細書において、トラックジャンプとは、図１３（ｂ）に矢印で軌跡を示したように、ピックアップによって読み出し動作をしているときに、ある１トラックからその内側や外側へ、読み取り位置を飛び越える動作を云う。図１、図６、および図９において、グラフの線が真下に落ちている部分がトラックジャンプを表しているが、これは、トラックジャンプが瞬時（限りなくゼロに近い時間。無視し得る時間）に完了するとしている。
【０１０２】
ただし、厳密に云えば、トラックジャンプ中にも光ディスクは回転（時計回り）を続けているため、光ディスク装置の設計次第ではトラックジャンプが瞬時に完了せず（図１３（ｂ）に示すように原点方向へ真っ直ぐ飛び越えるのではなく）、要する時間を考慮してトラックジャンプの軌跡を描くと、図１３（ｃ）に示すように図中斜め上方向に向かって軌跡が描かれる。この場合には、図１３（ｃ）の０°線とトラックジャンプの着地点（矢印の鏃）との間の部分は、ピックアップがトレースを行わない。
【０１０３】
本発明の実施の形態１の場合、トレースを行わない部分の長さが、読み取り動作上問題とならないレベルであればよいが、一定レベルを超えれば、スチル動作を終了して、続きのトラックの読み取りを再開した際にデータの欠落が生じる。
【０１０４】
このような場合には、実施の形態２または３のように、加算値＋αを追加してスチル動作の起点よりも内周にトラックジャンプする構成とすることで、ピックアップがトレースしない部分を解消することができ、データの欠落を回避することが可能である。
【０１０５】
【発明の効果】
本発明による光ディスク装置は、スチル動作時に、複数周回（トラック）を再生しながらスチルを行うため、単位時間あたりの同一のトラックのトレース回数をスチル時の周回数分の１に低減させることができる。
【０１０６】
これにより、ディスク基板の、再生ビームの吸収による光化学反応を抑制し、光ディスクの劣化を低減させることが可能である。
【０１０７】
また、＋αトラック余分に戻りアドレス位置確認を行うことにより、トラックジャンプが設定トラック分ジャンプしなかった時など、不測の事態が発生しても、スチル時の位置ずれを回避することができる。
【０１０８】
さらに、本発明においては、スチル動作時に、周回数に限らず、所定のトレース進度分を再生しながらスチルを行うが、その進度として、経過トレース時間を計測してもよい。この場合、線速度一定で回転する光ディスク装置であるならば、スチル時にトレースするトレース長さを一定にすることができ、スチル動作による本発明のディスク基板劣化低減効果を光ディスクの内外周で一定にすることができる。
【図面の簡単な説明】
【図１】従来の光ディスク装置の動作を説明するための図であり、時間とトラック位置との関係を示す図である。
【図２】ポリカーボネートの波長に対する光透過率を示す図である。
【図３】本発明の実施の形態１による光ディスク装置の構成を示すブロック図である。
【図４】本発明の実施の形態１による光ディスク装置における制御部の構成を説明するためのブロック図である。
【図５】本発明の実施の形態１による光ディスク装置の動作を説明するためのフロー図である。
【図６】本発明の実施の形態１による光ディスク装置の動作を説明するための図であり、時間とトラック位置との関係を示す図である。
【図７】本発明の実施の形態２による光ディスク装置における制御部の構成を説明するためのブロック図である。
【図８】本発明の実施の形態２による光ディスク装置の動作を説明するためのフロー図である。
【図９】本発明の実施の形態２または３による光ディスク装置の動作を説明するための図であり、時間とトラック位置との関係を示す図である。
【図１０】本発明の実施の形態３による光ディスク装置の構成を示すブロック図である。
【図１１】本発明の実施の形態３による光ディスク装置における制御部の構成を説明するためのブロック図である。
【図１２】本発明の実施の形態３による光ディスク装置の動作を説明するためのフロー図である。
【図１３】（ａ）、（ｂ）、および（ｃ）は、本明細書の記載において用いられる光ディスクのトラックに関する概念を説明するための図である。
【符号の説明】
１    光ディスク
２    スピンドル
３    ピックアップ
４    周回数カウンタ
５    メモリ
５１    第１のメモリ
５２    第２のメモリ
５３    第３のメモリ
５４    第４のメモリ
５５    第５のメモリ
６、７、８    制御部
６１、７１    累積周回数判定部
６２、７２、８２    トラックジャンプ部
６３、７３    カウンタリセット部
６５、７５、８５    スチル終了判定部
７４、８４    アドレス照合部
８１    経過時間判定部
８３    タイマリセット部
【図１】
2004355763.tif 000003
【図２】
2004355763.tif 000004
【図３】
2004355763.tif 000005
【図４】
2004355763.tif 000006
【図５】
2004355763.tif 000007
【図６】
2004355763.tif 000008
【図７】
2004355763.tif 000009
【図８】
2004355763.tif 000010
【図９】
2004355763.tif 000011
【図１０】
2004355763.tif 000012
【図１１】
2004355763.tif 000013
【図１２】
2004355763.tif 000014
【図１３】
2004355763.tif 000015